(57)【特許請求の範囲】
【請求項１】
施錠指令が与えられて施錠状態となる場合には、自動販売機本体に形成された開口を閉成する扉体が開移動することを規制する一方、解錠指令が与えられて解錠状態となる場合には前記扉体が開閉移動することを許容する電子錠装置に対し、予め決められたタイムスケジュールに従って前記電子錠装置に施錠指令又は解錠指令を与える自動販売機の制御装置において、
前記電子錠装置を施錠状態にする施錠時間内に前記扉体が閉移動して前記開口を閉成した場合、予め決められた待機時間の経過後に前記電子錠装置に施錠指令を与える制御手段を備え、
前記制御手段は、前記待機時間の経過中において、現在時刻が前記施錠時間内となる場合には、施錠開始時刻及び施錠終了時刻を表示部に表示させる時間帯内表示を行う一方、現在時刻が前記施錠時間外となる場合には、前記施錠開始時刻及び前記施錠終了時刻を前記時間帯内表示とは異なる方式により前記表示部に表示させることを特徴とする自動販売機の制御装置。
【発明の詳細な説明】
【技術分野】
【０００１】
本発明は、自動販売機の制御装置に関し、より詳細には、施錠指令が与えられて施錠状態となる場合には、自動販売機本体に形成された開口を閉成する扉体が開移動することを規制する一方、解錠指令が与えられて解錠状態となる場合には扉体が開閉移動することを許容する電子錠装置に対し、予め決められたタイムスケジュールに従って電子錠装置に施錠指令又は解錠指令を与える自動販売機の制御装置に関するものである。
【背景技術】
【０００２】
従来、自動販売機本体の前面開口を閉成する外扉が開移動することを規制する機械式の錠装置が自動販売機に設置されているのが一般的である。そして、防犯性能の更なる向上を図るべく、機械式の錠装置とともに電子錠装置を備えたものが知られている。この電子錠装置は、施錠指令が与えられて施錠状態となる場合には自動販売機本体の前面開口を閉成する外扉が開移動することを規制する一方、解錠指令が与えられて解錠状態となる場合には外扉が開閉移動することを許容するものである。
【０００３】
このような自動販売機においては、オペレータの巡回時間や設置ロケーションの要請等に応じて予め決められた時間（所定時間）だけ電子錠装置を解錠状態にし、それ以外の時間は電子錠装置を施錠状態にしておくことで、上記所定時間以外は機械式の錠装置が解錠状態にされても前面開口の閉成を維持している（例えば、特許文献１参照）。
【先行技術文献】
【特許文献】
【０００４】
【特許文献１】特開２００５−３２０２２号公報
【発明の概要】
【発明が解決しようとする課題】
【０００５】
ところで、施錠時間の誤設定や、何等かの不具合を解決する作業を行った場合等において、外扉を閉移動させて自動販売機本体の前面開口を閉成した時点が施錠時間内となることがある。このように前面開口を閉成した時点が施錠時間内となる場合には、前面開口が閉成されたことを検知した制御手段は、電子錠装置に施錠指令を与えて電子錠装置を施錠状態にさせてしまう。そのため、オペレータ等が自動販売機本体の前面開口を一旦閉成した後に自動販売機本体の内部の確認等のために再度外扉を開移動させようとしても開移動させることができない、という不具合が生ずることがあった。
【０００６】
本発明は、上記実情に鑑みて、施錠時間内に開口が閉成された場合においても施錠状態となるまでに猶予期間を設けて、オペレータによる作業の利便性を向上させることができる自動販売機の制御装置を提供することを目的とする。
【課題を解決するための手段】
【０００７】
上記目的を達成するために、本発明に係る自動販売機の制御装置は、施錠指令が与えられて施錠状態となる場合には、自動販売機本体に形成された開口を閉成する扉体が開移動することを規制する一方、解錠指令が与えられて解錠状態となる場合には前記扉体が開閉移動することを許容する電子錠装置に対し、予め決められたタイムスケジュールに従って前記電子錠装置に施錠指令又は解錠指令を与える自動販売機の制御装置において、前記電子錠装置を施錠状態にする施錠時間内に前記扉体が閉移動して前記開口を閉成した場合、予め決められた待機時間の経過後に前記電子錠装置に施錠指令を与える制御手段を備え、前記制御手段は、前記待機時間の経過中において、現在時刻が前記施錠時間内となる場合には、施錠開始時刻及び施錠終了時刻を表示部に表示させる時間帯内表示を行う一方、現在時刻が前記施錠時間外となる場合には、前記施錠開始時刻及び前記施錠終了時刻を前記時間帯内表示とは異なる方式により前記表示部に表示させることを特徴とする。
【発明の効果】
【０００９】
本発明によれば、制御手段が、電子錠装置を施錠状態にする施錠時間内に扉体が閉移動して開口を閉成した場合、予め決められた待機時間の経過後に電子錠装置に施錠指令を与えるので、待機時間中であればオペレータ等が自動販売機本体の開口を一旦閉成した後に自動販売機本体の内部の確認等のために再度扉体を開移動させることができる。従って、施錠時間内に開口が閉成された場合においても施錠状態となるまでに猶予期間を設けて、オペレータによる作業の利便性を向上させることができるという効果を奏する。
【図面の簡単な説明】
【００１０】
【図１】図１は、本発明の実施の形態である制御装置を適用した自動販売機を示すブロック図である。
【図２】図２は、図１に示した制御手段が実施する施錠制御処理の処理内容を示すフローチャートである。
【図３】図３は、図１に示した一体表示器に表示させる表示例を示すものであり、（ａ）は現在時刻、（ｂ）は施錠開始時刻、（ｃ）は施錠終了時刻を示すものである。
【発明を実施するための形態】
【００１１】
以下に添付図面を参照して、本発明に係る自動販売機の制御装置の好適な実施の形態について詳細に説明する。
【００１２】
図１は、本発明の実施の形態である制御装置を適用した自動販売機を示すブロック図である。ここで例示する制御装置は、缶入り飲料やペットボトル入り飲料等の容器入り飲料を商品として販売する自動販売機に適用されるものである。図には明示していないが、自動販売機の本体キャビネットには、複数の商品収納ラックが設けてあり、これらの商品収納ラックにコラムが設定してある。コラムは、同一種類の商品が収容される収容単位であり、販売する商品に応じて１、もしくは複数の商品収納ラックが対応している。商品収納ラックには、それぞれに収容した商品の搬出制御を行うためのベンドメック１０が設けてあるとともに、個々のベンドメック１０に商品の売り切れを検出する売切センサ１２が設けてある。
【００１３】
図１に示すように、上記自動販売機には、コラムに対応した選択ボタン１４及び売切ランプ１６が設けてあるとともに、貨幣処理装置１８及び一体表示器２０が設けてある。選択ボタン１４は、利用者が購入商品を選択するためのもので、図には明示していないが、本体キャビネットの前面開口を開閉する外扉の前面に商品見本とともに配設してある。個々の選択ボタン１４は、利用者によって押圧操作された場合にそれぞれの出力信号を後述の制御手段３０に対して出力する。売切ランプ１６は、利用者に対して商品が販売可能であるか否かを表示するためのもので、個々の選択ボタン１４に対応して設けてある。貨幣処理装置１８は、コインメカニズムやビルバリデータと称されるものであり、利用者によって貨幣が投入された場合にこれを鑑別し、その鑑別結果を後述の制御手段３０に出力するものである。一体表示器２０は、投入金額や釣銭金額等、商品を購入する場合に必要となるデータを表示するためのもので、例えば液晶表示器によって構成してある。
【００１４】
また、上記自動販売機には、扉スイッチ２２、電子錠装置２４及びリモコン２６が設けられている。扉スイッチ２２は、本体キャビネットの前面開口の開閉を検知するものであり、本体キャビネットの前面開口が開成する場合にはオン状態となってその旨を制御手段３０に与える一方、本体キャビネットの前面開口が外扉により閉成される場合にはオフ状態となってその旨を制御手段３０に与えるものである。
【００１５】
電子錠装置２４は、施錠状態となる場合には本体キャビネットの前面開口を閉成する外扉が開移動することを規制する一方、解錠状態となる場合には外扉が開閉移動することを許容するものである。
【００１６】
リモコン２６は、商品収納ラックに対するコラムの設定やコラムと選択ボタン１４との対応付け、販売価格の設定等、商品の販売に関わる各種設定や確認を行う他、施錠開始時間や施錠終了時間等の設定を行うもので、各種機能キーやカーソルキー等の入力部２６１を備えるとともに、液晶表示器等の表示部２６２を備えて構成してある。
【００１７】
自動販売機の制御手段３０は、図１に示すように、売切センサ１２、貨幣処理装置１８、選択ボタン１４、扉スイッチ２２、リモコン２６から出力信号が与えられた場合、予めメモリ３０Ｍに格納したプログラムや初期データに従ってベンドメック１０、売切ランプ１６、一体表示器２０、電子錠装置２４の動作を制御するものであり、入力制御部３１、出力制御部３２、判定部３３を有している。入力制御部３１は、各機器から与えられる指令や信号を入力して処理するものであり、メモリ３０Ｍに格納するものである。出力制御部３２は、各機器に対して指令や信号等を出力して処理するものである。判定部３３は、制御手段３０に内蔵される時計より現在時刻を読み出し、現在時刻が施錠時間内にあるか否かを判定するものである。ここで施錠時間は、リモコン２６を通じて与えられた施錠開始時刻及び施錠終了時刻で決められるものであり、メモリ３０Ｍに格納されている。
【００１８】
上述した自動販売機においては、リモコン２６の入力部２６１を通じて施錠開始時刻及び施錠終了時刻が入力されると、制御手段３０は次のように動作する。すなわち、制御手段３０は、判定部３３を通じて現在時刻が施錠開始時刻に達する場合に、出力制御部３２を通じて電子錠装置２４に施錠指令を与える。これにより電子錠装置２４は、施錠状態となり、本体キャビネットの前面開口を閉成する外扉が開移動することを規制する。従って、オペレータ等が機械式の錠装置を解錠させたとしても外扉を開移動させることはできない。
【００１９】
ところで、制御手段３０は、判定部３３を通じて現在時刻が施錠終了時刻に達する場合に、出力制御部３２を通じて電子錠装置２４に解錠指令を与える。これにより電子錠装置２４は、解錠状態となる。これにより、オペレータ等が機械式の錠装置を解錠することで外扉が開閉移動することが可能になり、本体キャビネットの前面開口を開成させることができる。
【００２０】
図２は、上述した制御手段３０が実施する施錠制御処理の処理内容を示すフローチャートである。以下、図２を適宜参照しながら制御手段３０が実行する処理の内容について説明する。尚、前提として、電子錠装置２４は解錠状態にあり、本体キャビネットの前面開口が開成しているものとする。
【００２１】
外扉が閉移動されて本体キャビネットの前面開口が閉成されることにより扉スイッチ２２がオフ状態となる場合（ステップＳ１０１）、制御手段３０は、判定部３３を通じて現在時刻が施錠時間内であるか否かを判定する（ステップＳ１０２）。現在時刻が施錠時間外である場合（ステップＳ１０２：Ｎｏ）、すなわち現在時刻が施錠開始時刻よりも前、若しくは施錠終了時刻よりも後である場合、制御手段３０は、後述する処理を行うことなく手順をリターンさせて今回の処理を終了する。これによれば、電子錠装置２４の解錠状態が維持されることになる。
【００２２】
現在時刻が施錠時間内である場合（ステップＳ１０２：Ｙｅｓ）、制御手段３０は、予めメモリ３０Ｍに記憶された待機時間の計測を開始する（ステップＳ１０３）。
【００２３】
かかる待機時間の経過途中において判定部３３を通じて現在時刻が施錠時間内であると判定した場合（ステップＳ１０４：Ｎｏ，ステップＳ１０５：Ｙｅｓ）、制御手段３０は、出力制御部３２を通じて、図３の（ａ）に示すような現在時刻、図３の（ｂ）に示すような施錠開始時刻、図３の（ｃ）に示すような施錠終了時刻を一体表示器２０に点滅させた状態で順次表示させる（ステップＳ１０６，ステップＳ１０７，ステップＳ１０８）。
【００２４】
一方、上記待機時間の経過途中において判定部３３を通じて現在時刻が施錠時間外であると判定した場合（ステップＳ１０４：Ｎｏ，ステップＳ１０５：Ｎｏ）、制御手段３０は、出力制御部３２を通じて、図３の（ａ）に示すような現在時刻、図３の（ｂ）に示すような施錠開始時刻、図３の（ｃ）に示すような施錠終了時刻を一体表示器２０に点灯させた状態で順次表示させる（ステップＳ１０９，ステップＳ１１０，ステップＳ１１１）。
【００２５】
そして、待機時間が経過した場合（ステップＳ１０４：Ｙｅｓ）、制御手段３０は、出力制御部３２を通じて電子錠装置２４に施錠指令を送出し（ステップＳ１１２）、その後に手順をリターンさせて今回の処理を終了する。
【００２６】
これによれば、待機時間が経過するまで、オペレータ等が本体キャビネットの前面開口を一旦閉成した後に本体キャビネットの内部の確認等のために再度外扉を開移動させることができる。
【００２７】
以上説明したように本実施の形態である自動販売機の制御装置によれば、電子錠装置２４を施錠状態にする施錠時間内に外扉が閉移動して本体キャビネットの前記開口を閉成した場合、制御手段３０が予め決められた待機時間の経過後に電子錠装置２４に施錠指令を送出するので、待機時間中であればオペレータ等が本体キャビネットの前面開口を一旦閉成した後に本体キャビネットの内部の確認等のために再度外扉を開移動させることができ、オペレータによる作業の利便性を向上させることができる。
【００２８】
また、待機時間経過途中には、現在時刻が施錠時間内となる場合には、施錠開始時刻及び施錠終了時刻を一体表示器２０に点滅表示させる一方、現在時刻が施錠時間外となる場合には、施錠開始時刻及び施錠終了時刻を一体表示器２０に点灯表示させるので、オペレータが目視にて施錠開始時刻及び施錠終了時刻を確認でき、かかる施錠開始時刻及び施錠終了時刻の再設定作業を容易に行うことができる。
【産業上の利用可能性】
【００２９】
以上のように、本発明に係る自動販売機の制御装置は、電子錠装置を備える自動販売機に有用である。
【符号の説明】
【００３０】
１０  ベンドメック
１２  売切センサ
１４  選択ボタン
１６  売切ランプ
１８  貨幣処理装置
２０  一体表示器
２２  扉スイッチ
２４  電子錠装置
２６  リモコン
３０  制御手段
３０Ｍ  メモリ
３１  入力制御部
３２  出力制御部
３３  判定部
【図１】
0005720342.tif 000002
【図２】
0005720342.tif 000003
【図３】
0005720342.tif 000004